(57)【特許請求の範囲】
【請求項１】
印刷製品（２）を搬送するための台架としてそれぞれサドル状の屋根を構成する複数のサドルセグメント（１０）と、印刷製品（２）を搬送するためにそれぞれ１つの後方ストッパを構成するプッシャセグメント（１１）を有する、印刷製品の次処理をするための丁合い区間内の搬送装置において、
搬送すべき印刷製品（２）の前縁を案内するためのそれぞれ１つの前方ストッパを構成する、各プッシャセグメント（１１）に対してそれぞれ所定の間隔で配設された当接セグメント（１２）が設けられていることを特徴とする搬送装置。
【請求項２】
搬送装置が、プッシャセグンメント（１１）を有する少なくとも１つの搬送機構（３７，３８）と、当接セグメント（１２）を有する少なくとも１つの搬送機構（３５，３６）を備えることを特徴とする請求項１に記載の搬送装置。
【請求項３】
搬送装置が、２つの外側の搬送機構（３７，３８）と２つの内側の搬送機構（３５，３６）を備えることを特徴とする請求項２に記載の搬送装置。
【請求項４】
プッシャセグメント（１１）と当接セグメント（１２）が、印刷製品（２）の異なったサイズに適合するために、互いに位置調整可能であることを特徴とする請求項１〜３のいずれか１つに記載の搬送装置。
【請求項５】
当接セグメント（１２）が、少なくとも１つの当接部材（１５）を備えることを特徴とする請求項１〜４のいずれか１つに記載の搬送装置。
【請求項６】
当接部材（１５）が、２つの位置の間を移動可能であることを特徴とする請求項５に記載の搬送装置。
【請求項７】
当接部材（１５）が、搬送区間のある所定の場所で有効位置に移動され、他の所定の場所で無効位置に移動されるようにそれぞれ制御されていることを特徴とする請求項５又は６に記載の搬送装置。
【請求項８】
当接部材（１５）が、少なくとも１つの制御機構（２４）によって制御されることを特徴とする請求項７に記載の搬送装置。
【請求項９】
当接部材（１５）が、それぞれ下端部を制御されることを特徴とする請求項８に記載の搬送装置。
【請求項１０】
当接部材（１５）が前後に移動可能であるように、制御機構（２４）が形成されていることを特徴とする請求項８又は９に記載の搬送装置。
【請求項１１】
当接部材（１５）が、２本腕のレバーとして形成されていることを特徴とする請求項５〜１０のいずれか１つに記載の搬送装置。
【請求項１２】
当接セグメント（１２）が、搬送装置に載せられた印刷製品（２）を圧迫支持するための支持手段（２１）をそれぞれ備えることを特徴とする請求項１〜１１のいずれか１つに記載の搬送装置。
【請求項１３】
支持手段が、有効位置で搬送すべき印刷製品（２）の上に配設されるように延在することを特徴とする請求項１２に記載の搬送装置。
【請求項１４】
搬送装置が、チェーン、歯付きベルト、ベルト又はロープとして形成された少なくとも１つの牽引機構（５，６）を備えることを特徴とする請求項１〜１３のいずれか１つに記載の搬送装置。
【請求項１５】
搬送装置が、不動の又は共に移動する棟部材（１３）を備え、この棟部材の上を、搬送すべき印刷製品（２）が、跨るように搬送可能であることを特徴とする請求項１〜１４のいずれか１つに記載の搬送装置。
【発明の詳細な説明】
【技術分野】
【０００１】
本発明は、請求項１の上位概念に記載の搬送装置に関する。
【背景技術】
【０００２】
このような搬送装置は、印刷製品、特に印刷紙葉の収集及び処理のために使用され、これまでに公知である。印刷紙葉は、例えば給紙装置によって開いた状態で搬送装置上に載せられ、それぞれ１つのプッシャセグメントによって押されるように搬送される。複数の給紙装置が丁合い区間に沿って存在する場合、印刷紙葉は、例えばパンフレットに丁合い可能である。処理ステーションで、これら丁合いされた印刷紙葉は、例えば閉じることができる。
【０００３】
このような搬送装置の場合、これまで、搬送速度が高い場合に、印刷紙葉の搬送が、プッシャでのはね返り又は舞上がりによって阻害されるという困難があった。これにより特に、搬送速度が、従ってこのような搬送装置もしくは丁合い区間の効率が制限される。これは、特に、印刷紙葉が比較的薄い紙から成る場合に見られる。
【０００４】
特許文献１に開示された搬送装置の場合、作動方向前方に向かって傾斜したプッシャが設けられている。プッシャは、フィンガ状に形成され、上に向かって整向されている。これにより、搬送装置もしくは丁合いチェーン上に載せる際の印刷紙葉のはね上がり特性に対して有利な影響が生じる。ここでは特に、プッシャを曲げ上に向かって突出させることにより、上に向かってはねて位置ずれする印刷紙葉が戻される。
【先行技術文献】
【特許文献】
【０００５】
【特許文献１】欧州特許出願公開第０  ８８１  １８０号明細書
【発明の概要】
【発明が解決しようとする課題】
【０００６】
本発明の根底にある課題は、前記困難を更に確実に回避し、高い搬送速度を可能にする前記形式の搬送装置を提供することにある。
【課題を解決するための手段】
【０００７】
この課題は、搬送すべき印刷製品の前縁を案内するためのそれぞれ１つの前方ストッパを構成する、各プッシャセグメントに対してそれぞれ所定の間隔で配設された当接セグメントが設けられていることによって解決される。前記前方ストッパは、搬送装置の上に降ろされた印刷紙葉のはね返りと、相応のプッシャでの印刷紙葉の正確な当接を防止する。従って、印刷紙葉は、搬送装置上に後縁も前縁も案内される。これは、速度が高い場合でも確実な搬送を可能にし、丁合いされた印刷紙葉の互いの確実な位置調整と相応のプッシャに対する丁合いされた印刷紙葉の確実な位置調整を可能にする。
【０００８】
本発明の一発展形によれば、搬送装置が、プッシャセグンメントを有する少なくとも１つの搬送機構と、当接セグメントを有する少なくとも１つの搬送機構を備える。従って、本発明による搬送装置は、この発展形によれば、少なくとも２つの搬送機構を備え、一方の搬送機構が、印刷紙葉の後縁に作用するプッシャを備え、他方の搬送機構が、同じ印刷紙葉の前縁に作用する当接セグメントを備える。両搬送機構を互いに相応に位置調整することにより、それぞれ１つのプッシャと、これに付属する当接セグメントの間の間隔は、搬送すべき印刷紙葉のサイズに適合可能である。構造に関しても、製造コストに関しても、この発展形は有利である。
【０００９】
本発明の一発展形によれば、当接セグメントは、少なくとも１つの可動の当接部材を備える。これは、当接部材が、少なくとも２つの位置の間を旋回可能であるという本質的な利点を有する。これにより、特に、当接部材が、それぞれ丁合い区間のある所定の場所で逆の位置に旋回される位置が可能であるので、当接部材は、相応の印刷紙葉を搬送機構に載せることを邪魔しない。印刷紙葉が搬送装置に載っている場合、相応の当接部材が、この部材が印刷紙葉の前縁に作用するストッパを構成する。
【００１０】
当接部材の移動は、好ましくは、慣用の制御要素、例えばカム又は制御カムによって制御される。少なくとも１つのこの制御要素は、好ましくは、丁合い区間の長手方向に位置調整可能であるので、異なったサイズへの適合が可能である。当接部材は、好ましくは、それぞれ下端部を制御される。この場合、前記少なくとも１つの制御要素は、好ましくは、当接セグメントを備える搬送機構の下に配設されるように配設されている。当接セグメントもしくは当接部材が前記制御要素の高さに存在する場合に、当接部材が相応に制御される。この場合、当接部材は、好ましくは、２本腕のレバーとして形成されている。特に、当接部材は、慣用の制御要素と係合した場合に旋回される。前記少なくとも１つの制御要素は、例えば、当接部材が前後に移動可能であるように、バネ荷重を受けている。例えば、制御要素は、後退時に下に向かって移動可能であるように、支承されてもしくはバネ荷重受けている。
【００１１】
本発明の一発展形によれば、当接セグメントは、搬送装置に載せられた印刷製品を圧迫支持するための支持手段をそれぞれ備える。このような支持手段により、特に、移動により受ける風による印刷紙葉の舞上がりを有効に防止可能である。この支持手段は、本発明の一発展形によれば、搬送方向とは逆に延在するように形成されている。有効位置で、この支持手段は、搬送すべき印刷製品の上、特に印刷製品の折り目の直ぐ上に存在する。この場合、印刷製品は、好ましくは、折り畳まれた印刷紙葉である。支持手段は、耳と同様に形成可能である。支持手段は、特に好ましくは屋根状にもしくは垂直な対称面に対して左右に配設されるように形成されている。
【００１２】
搬送装置は、特に丁合いチェーンとして形成されている。チェーンは、特にリンクチェーンである。しかしながら、これは、強制的ではない。搬送装置は、歯付きベルト又はベルトもしくはロープとして形成されていてもよい。しかしながら、搬送装置は、特に無端で、このましくは駆動ホイールと転向ホイールの回りに取り付けられている。駆動装置は、それ自身普通に形成可能である。
【００１３】
本発明の一発展形によれば、搬送装置が、不動の又は共に移動する棟部材を備え、この棟部材の上を、印刷製品が、跨るように搬送可能である。このような棟部材は、前記当接セグメントとの組み合わせで、印刷製品の特に確実なガイドを可能にする。従って、特に高い能力を達成可能である。
【００１４】
搬送装置が、２つ以上の搬送機構を備える場合、これら搬送機構は、好ましくは、互いに平行で同期するように案内されるか、互いに平行で同期するように作動する。これら搬送機構は、好ましくは同軸の転向ホイールの前及び／又は後に案内されている。これらホイールは、相応にチェーンホイール、歯付きベルトホイール等である。
【００１５】
別の有利な特徴は、従属請求項、以下の説明並びに図面に記載されている。本発明の実施例を、以下で図面を基にして詳細に説明する。
【図面の簡単な説明】
【００１６】
【図１】本発明による搬送装置の一部の立体図を示す。
【図２】前方の搬送機構が図示されていない、図１の一部の図を示す。
【図３】本発明による搬送装置の一部の別の図を示す。
【図４】本発明による搬送装置の図３の部分Ａの図を示す。
【図５】５ａ，５ｂ，５ｃに、それぞれ棟部材と搬送装置の左側の部分が示された、図３の線Ｂ−Ｂ，Ｃ−Ｃ，Ｄ−Ｄに沿って切った断面図を示す。
【図６】６ａ，６ｂに、当接セグメントの一部の立体図を示す。
【図７】図３の線Ｂ−Ｂに沿って切った本発明による搬送装置の断面図を示す。
【図８】本発明による搬送装置の前縁の立体図を示す。
【図９】図８による本発明による搬送装置の断面図を示す。
【発明を実施するための形態】
【００１７】
図１は、図７により印刷製品２を矢印２６の方向に搬送する搬送装置１の上部部分の一部を示す。印刷製品は、特に、折り目３を有する折り畳まれた印刷紙葉であり、この印刷紙葉は、搬送時に棟部材１３の長手方向に延在する。印刷製品２は、それ自身公知の方法で、例えばここには示してない給紙装置によって上から搬送装置１に載せることができる。この場合、搬送装置１は、給紙装置と同期して駆動されている。駆動は、例えば、回りに搬送装置１が取り付けられたここには示してないチェーンホイールによって行なわれる。通常は、複数の給紙装置が設けられているので、印刷製品２もしくは印刷紙葉は、搬送装置１の上部部分に沿ってそれ自身公知の方法で丁合い可能である。
【００１８】
印刷製品２は、それぞれ２つのプッシャ１８によって押され、これらプッシャは、図７によれば、棟部材１３の左右に配設され、翼状に横に突出する。プッシャ１８は、それぞれホルダ３０に固定され、このホルダは、図７によれば、ガイドレール４にガイドされた牽引チェーン６の上に取り付けられている。両プッシャ１８と両ホルダ３０が、プッシャセグメント１１を構成する。搬送装置１は、複数のこのようなプッシャセグメント１１を備え、これらプッシャセグメントは、それぞれ互いに同じ間隔で配設されている。
【００１９】
それぞれ２つのプッシャセグメント１１の間に、サドルセグメント１０が存在する。サドルセグメントは、それぞれ２つのホルダ３１と２つのホルダ３２を備え、図５ａには、そのうちのそれぞれ一方だけが示されている。これらホルダ３１及び３２は、搬送すべき印刷製品２がそれぞれ当接するそれぞれ１つの屋根状の面１４もしくは３３を備える。面３３は、面１４に対して若干搬送装置１の中心の方にずらされている。従って、搬送装置１に上から供給される開いた印刷製品２が両ホルダ３１及び３２によって構成される間隙４０に引っ掛かることが防止される。ホルダ３１が牽引チェーン５に、ホルダ３２が牽引チェーン６に、それぞれ取り付けられ、例えば取外し可能に係止されている。
【００２０】
加えて、搬送装置１は、同じ間隔で、プッシャセグメント１１に対して所定の間隔でそれぞれ配設された当接セグメント１２を備える。この当接セグメント１２は、それぞれ１つのホルダ３４と当接部材１５を備える。これらの部材は、棟部材１３に対して対称に、従って図７に従って配設されている。当接部材１５は、図５ｂに示されているように、それぞれ可動もしくは旋回可能にホルダ２７に固定されている。このホルダ２７は、断面がほぼ椅子状に形成されており、それぞれ牽引チェーン５に取り付けられている。当接部材１５は、それぞれ旋回軸１６を介してホルダ２７と結合されている。行なわれる旋回運動は、制限されており、図６ａ及び６ｂに示されている。図６ａは、旋回運動の一方の位置を示す。これは、作動位置である。図６ｂに示した第２の位置は、当接セグメント１２が有効でない。この位置は、図１〜４ではそれぞれ２点鎖線で示されている。
【００２１】
当接部材１５は、図６ａ及び６ｂによれば、それぞれバネ要素１７によって図６ａに示した位置に保持される。バネ要素１７は、例えばバネ鋼線から成るコイルスプリングであり、それぞれホルダ２７に支承されている。バネ要素１７の荷重に抗して、相応の当接部材１５は、図６ａに示した位置から図６ｂに示した旋回位置に移動可能である。これら両位置は、例えばここには示してないストッパによって決められている。
【００２２】
当接部材１５は、それぞれ１つの支持部材２１を備え、この支持部材は、図５ａによれば、面１４に対してほぼ平行に間隔を置いて面１４の上に延在する。支持部材２１は、図５ａによれば、上に向かってほぼ棟部材１３の上にまで延在する。この棟部材１３と支持部材２１の間に、間隔もしくは間隙がある。当接セグメント１２のそれぞれ２つの支持部材２１は、図７によれば、棟部材１３に対して対称に配設されている。しかしながら、棟部材１３に対して非対称に支持部材２１を配設することも考えられる。
【００２３】
図６ａ及び６ｂが示すように、支持部材２１は、ストッパ面２８からそれぞれ直角に延在する。これら両ストッパ面２８は、それぞれ１つの印刷製品２の前縁用のストッパもしくは当接面として設けられている。しかしながら、これは、相応の両当接部材１５が図６ａの有効位置に存在する場合にだけである。搬送装置１上に印刷製品２が存在する場合、プッシャセグメント１１が後縁用のストッパを構成し、向かい合う当接セグメント１２が前縁用のストッパを構成する。従って、相応の印刷製品２は、後縁がプッシャセグメント１１の作用を受け、前縁が当接セグメント１２の作用を受ける。従って、印刷製品２は、搬送装置の長手方向２６に全く移動不能であるか、非常に限定的にしか移動可能でない。加えて、相応の当接セグメント１２の支持部材１５は、例えば移動により受ける風に基づいて印刷製品２の前縁が上に向かって搬送方向２６から持ち上がることを防止する。従って、支持部材２１は、防止すべき上に向かう運動のためのストッパを構成する。
【００２４】
印刷製品２が搬送装置１に載せられるまで、設けられたプッシャセグメント１１の搬送方向前方に配設された当接部材１５は、印刷製品２の載置を邪魔しない位置に旋回される。この位置への当接部材１５の旋回は、例えば図４に示されている。支持部材２１が低い、従って無効な位置に配設される位置は、図４では２点鎖線で図示されている。この位置への旋回は、所定の場所で制御されて行なわれる。制御手段は、例えば図４によれば制御面２５もしくは制御カムを有する制御機構２４である。制御機構２４は、当接部材１５が制御面２５に達した場合に当接部材１５のカム２３もしくは下端と協働するように配設されている。当接部材１５のカム２３が制御機構２４に乗り上げると、当接部材１５は、旋回軸１６を中心として反時計回り方向に旋回される。この場合、バネ要素１７にテンションがかかる。このバネ要素１７は、カム２３の制御機構２４との係合が解消され次第、当接部材１５を再び有効位置に移動させる。
【００２５】
制御機構２４は、固定されているが、異なったサイズに適合するために位置調整可能である。好ましくは、制御機構２４は、搬送機構の後退時に下に向かって弾性的に逃げるように形成されている。従って、後退時に、カム２３は、制御機構２４を下に向かって押し出すことができない。丁合い区間に沿って、このような複数の制御機構２４を配設することができる。位置は、当接部材１５がそれぞれ適当な時に無効位置に旋回され、相応の印刷製品２が載せられ次第再び有効位置に旋回されるように設定されている。
【００２６】
当接部材１５が図１で２点鎖線で示した位置に旋回されるように、搬送方向に見て当接部材１５の後に、サドルセグメント１０の代わりに２つの特殊なサドルセグメント１０’が配設されており、これらは、空所２２を備え、これにより、支持部材２１を受入れ可能な間隙を構成する。
【００２７】
前記のことから、搬送装置１が複数の搬送機構を備えることが分かる。図７で、これは、２つの内側の搬送機構３５及び３６と、２つの外側の搬送機構３７及び３８である。内側の搬送機構３５及び３６は、２つの牽引チェーン５によって駆動され、搬送機構３７及び３８は、２つの牽引チェーン６によって移動される。プッシャ１８は、外側の搬送機構３７及び３８の一部であり、当接部材１５は、内側の搬送機構３５及び３６の一部である。搬送機構３７及び３８と搬送機構３５及び３６が互いに依存せずに位置調整可能であるので、プッシャセグメント１１と当接セグメント１２の間の間隔は、印刷製品２の異なったサイズに適合するために位置調整可能である。搬送機構３５〜３８は、それぞれ互いに同期して平行に作動する。好ましくは、搬送機構３５〜３８もしくは牽引チェーン５及び６は、ここには示してない同軸の同じ大きさのチェーンホイール上で転向される。示した搬送機構３５〜３８の配設に対して、例えば以下のバリエーションが可能である。搬送機構３５及び３６を外側に配設し、搬送機構３７及び３８を内側に配設することもできる。従って、プッシャ１８が、ここでは内側になり、当接部材１５が外側になる。棟部材１３の左にプッシャ１８を有する搬送機構を配設し、他方の側に当接部材１５を有する搬送機構を配設する非対称の配設も可能である。３つの搬送機構を有する構成も考えられる。図８及び９に示したように、２つのサドルセグメント１０が、それぞれ１つの搬送機構３５，３６と結合されている。サドルセグメント１０の間に、搬送機構３７の一部である棟要素３９が配設されている。規則的な間隔で、棟要素３９の代わりにプッシャセグメント１１が挿入される。即ち、印刷製品は、この構成では、ただ１つのプッシャ１８によって押される。図１〜５及び７に示した不動の棟部材１３は、印刷製品２を搬送中折り目３で調心するが、図８及び９による３つの搬送機構を有する構成では、共に移動する棟要素３９によって構成される。基本的に、１つの搬送機構や２つの搬送機構しか設けられていない構成も考えられる。異なったサイズへの適合は、ここでは、プッシャ１８もしくは当接部材１５を相応にずらすことによって行なうことができる。
【００２８】
棟部材１３は、不動又はともに移動するように形成可能である。しかしながら、基本的に、棟部材１３を有しない構成も考えられる。牽引チェーン５及び６は、好ましくはリンクチェーンである。しかしながら、基本的に、牽引チェーン５及び６は、他の無端の牽引機構によって置き換えることもできる。例えば、歯付きベルト、ベルト又はロープが、牽引機構として使用可能である。プッシャ１８は、各図で横に突出する翼として示されている。しかしながら、プッシャは、異なるように形成することもできる。プッシャを、例えば特許文献１に示されているような上に向かって突出するフィンガとして形成する構成も考えられる。当接部材１５も、同様に異なるように形成可能である。支持部材２１は、合目的であるが、強制的ではない。当接部材１５は、前記の例では旋回可能である。しかしながら、基本的には、当接部材１５は、異なるように移動されても、例えば垂直に移動可能であってもよい。しかしながら、基本的には、当接部材１５もしくは当接セグメント１２が可動でない構成も考えられる。
【符号の説明】
【００２９】
１        搬送装置
２        印刷製品
３        折り目
４        ガイドレール
５        牽引チェーン
６        牽引チェーン
１０      サドルセグメント
１０’    特殊なサドルセグメント
１１      プッシャセグメント
１２      当接セグメント
１３      棟部材
１４      屋根状の面
１５      当接部材
１６      旋回軸
１７      バネ要素
１８      プッシャ
２１      支持部材
２２      空所
２３      カム
２４      制御機構
２５      制御面
２６      矢印
２７      ホルダ
２８      ストッパ面
３０      ホルダ
３１      ホルダ
３２      ホルダ
３３      屋根状の面
３４      ホルダ
３５      搬送機構
３６      搬送機構
３７      搬送機構
３８      搬送機構
３９      棟要素
４０      間隙
【図１】
0005380129.tif 000002
【図２】
0005380129.tif 000003
【図３】
0005380129.tif 000004
【図４】
0005380129.tif 000005
【図５】
0005380129.tif 000006
【図６】
0005380129.tif 000007
【図７】
0005380129.tif 000008
【図８】
0005380129.tif 000009
【図９】
0005380129.tif 000010